(57)【要約】【課題】  コスト安価な合成樹脂製のクリップの提供。【解決手段】  一対の拡径孔部を有する取付孔が穿設されたトリムを一対の拡径孔部を有する取付孔が穿設されたパネルに固定する合成樹脂製のクリップであって、一体に連設された頭部１と脚部２とから成り、脚部２は、一の対向する側面に撓み可能に設けられて脚部２の先端から頭部１方向に延びる一対の仮止め用腕５と、他の対向する側面に撓み可能に設けられて脚部２の先端から頭部１方向に延びる一対の本止め用腕６とを備え、上記一対の仮止め用腕５にトリムの取付孔の拡径孔部の周縁に当接する当接片８を形成し、一対の本止め用腕６にパネルの取付孔の孔縁に係合する係合爪９を形成して、上記当接片８の当接面は係合爪９の係合面よりも頭部１に近く、仮止め用腕５の自由端面は当接片８の当接面よりも頭部１に近いことを特徴とする。【選択図】          図１
2006234138.tif 000002
【特許請求の範囲】
【請求項１】
一対の拡径孔部を有する取付孔が穿設されたトリムを一対の拡径孔部を有する取付孔が穿設されたパネルに固定する合成樹脂製のクリップであって、一体に連設された頭部と脚部から成り、脚部は、一の対向する側面に撓み可能に設けられて脚部の先端から頭部方向に延びる一対の仮止め用腕と、他の対向する側面に撓み可能に設けられて脚部の先端から頭部方向に延びる一対の本止め用腕とを備え、上記一対の仮止め用腕にトリムの取付孔の拡径孔部の周縁に当接する当接片を形成し、一対の本止め用腕にパネルの取付孔の孔縁に係合する係合爪を形成して、上記当接片の当接面は係合爪の係合面よりも頭部に近く、仮止め用腕の自由端面は当接片の当接面よりも頭部に近いことを特徴とするクリップ。
【請求項２】
一対の仮止め用腕の両側縁に当接片を形成したことを特徴とする請求項１記載のクリップ。
【請求項３】
当接片のパネルの取付孔の孔縁に接する部分がテーパー形状となっていることを特徴とする請求項１乃至請求項２のいずれかに記載のクリップ。
【請求項４】
一対の仮止め用腕の頭部近傍の横断面が外方へ膨出する台形状を呈していることを特徴とする請求項１乃至請求項３のいずれかに記載のクリップ。
【発明の詳細な説明】
【技術分野】
【０００１】
本発明は、例えば、自動車サンバイザーの軸部を保持するサンバイザーホルダーなどとして好適に使用されるクリップに関するものである。
【背景技術】
【０００２】
従来のサンバイザーホルダーは、具体的には図示しないが、合成樹脂で別体成形されたホルダー部材とグロメット部材の２部品から成り、前者のホルダー部材は、Ｃ字状の保持部と円筒状の脚部とから成り、該円筒状の脚部の対向する側面に一対の係合爪を撓み可能に形成し、後者のグロメット部材は、全体が直方体状に成形されて、一の対向する側面にルーフトリムを支持する一対の支持片を形成し、他の対向する側面に上記係合爪が外方へ突出する一対の開口窓を画成する構成となっている（例えば、特許文献１参照）。
【０００３】
そして、実際に、サンバイザーの軸部を保持する場合には、まず、上記したグロメット部材の内部にホルダー部材の脚部を押し込んで、ボルダー部材の各係合爪がグロメット部材の対応する開口窓から外方へ突出する状態を得て、ルーフトリムに予め穿設されている取付孔内にボルダー部材と一体化したグロメット部材を挿入すると、上記各支持片が内側に撓みながら取付孔を通過して、ルーフトリムの取付孔の周面を弾性的に支持するので、これにより、ルーフトリム側にサンバイザーホルダーが仮止めされる。
【０００４】
そこで、今度は、斯かる状態のまま、グロメット部材をルーフパネルに予め穿設されている取付孔に挿入すると、当該グロメット部材の各開口窓から外方へ突出するホルダー部材の係合爪がルーフパネルの取付孔の孔縁に係合するので、これにより、サンバイザーホルダーが車体に固定される。従って、後は、この固定されたサンバイザーホルダーの保持部にサンバイザーの軸部を弾性的に嵌合すれば、当該軸部が脱着可能に保持されることとなる。
【０００５】
又、逆に、このサンバイザーホルダーをルーフパネルから取り外す場合には、ホルダー部材をグロメット部材に対して強制的に相対回転させると、ホルダー部材の開口窓から外方へ突出する各係合爪がグロメット部材の内部に入り込んで、ルーフパネルの取付孔の孔縁との係合を解くので、このまま、サンバイザーホルダーを引き抜けば、サンバイザーホルダーをルーフパネルから取り外すことが可能となる。尚、この時に、更に、サンバイザーホルダーをルーフトリムから取り外す場合には、一対の支持片を強制的に内側に撓ませれば、ルーフトリムの支持状態を解けるので、後は、同様に、引き抜けば、サンバイザーホルダーをルーフトリムからも取り外すことが可能となる。
【特許文献１】特開２００２−３６８７３号公報
【発明の開示】
【発明が解決しようとする課題】
【０００６】
従って、従来のサンバイザーホルダーは、サンバイザーの軸部を確実に保持できることに加えて、工具を使用せずとも、ルーフパネルから容易に取り外すことができる利点を有することとなるが、この為には、ホルダー部材とグロメット部材の２部品が必要となるので、成形金型費を含め、自ずと、コスト高となることは否めないばかりか、特に、取り外し時には、グロメット部材の支持片がルーフトリムの取付孔の周面に引っ掛かって、破損する恐れがあった。又、この支持片自体は、取付孔を内側に撓みながら通過しなければならない関係で、強度的には、それ程強い構造となっていないので、ルーフトリムにサンバイザーホルダーを仮止めする際には、その仮止め状態が不安定となる嫌いもあった。
【課題を解決するための手段】
【０００７】
本発明は、斯かる従来のサンバイザーホルダーが抱える課題を有効に解決するために開発されたもので、請求項１記載の発明は、一対の拡径孔部を有する取付孔が穿設されたトリムを一対の拡径孔部を有する取付孔が穿設されたパネルに固定する合成樹脂製のクリップであって、一体に連設された頭部と脚部とから成り、脚部は、一の対向する側面に撓み可能に設けられて脚部の先端から頭部方向に延びる一対の仮止め用腕と、他の対向する側面に撓み可能に設けられて脚部の先端から頭部方向に延びる一対の本止め用腕とを備え、上記一対の仮止め用腕にトリムの取付孔の拡径孔部の周縁に当接する当接片を形成し、一対の本止め用腕にパネルの取付孔の孔縁に係合する係合爪を形成して、上記当接片の当接面は係合爪の係合面よりも頭部に近く、仮止め用腕の自由端面は当接片の当接面よりも頭部に近いことを特徴とする。
【０００８】
請求項２記載の発明は、請求項１を前提として、一対の仮止め用腕の両側縁に当接片を形成したことを特徴とする。
【０００９】
請求項３記載の発明は、請求項１乃至請求項２を前提として、当接片のパネルの取付孔の孔縁に接する部分がテーパー形状となっていることを特徴とする。
【００１０】
請求項４記載の発明は、請求項１乃至請求項３を前提として、一対の仮止め用腕の頭部近傍の横断面が外方へ膨出する台形状を呈していることを特徴とする。
【発明の効果】
【００１１】
依って、請求項１記載の発明にあっては、合成樹脂の一体成形品であるので、成形金型費を含めて、コスト安価となることは言うまでもないが、トリムをパネルに固定する場合には、トリム側の取付孔が有する拡径孔部内に一対の仮止め用腕を臨ませながら、トリムの取付孔内に脚部を挿入すると、トリムが頭部と当接片とで支持されるので、これにより、クリップ自体がトリム側に仮止めされる。そこで、このまま、パネル側の取付孔が有する拡径孔部内に同じく一対の仮止め用腕を臨ましめながら、パネルの取付孔に脚部を挿入すると、今度は、一対の本止め用腕が当該取付孔を通過して、その係合爪を取付孔の孔縁に弾性的に係合するので、これにより、クリップ自体がパネル側に固定されると同時に、トリムがパネル側にワンタッチで固定されることとなる。
【００１２】
又、逆に、トリムの固定状態を解除する場合には、クリップ自体を９０°回転させて、パネルの取付孔が有する拡径孔部内に係入している一対の仮止め用腕を取付孔の内側に撓ませながら入り込ませると、今度は、当該取付孔の拡径孔部内に一対の本止め用腕が係入するので、斯かる状態を得た後は、クリップ自体を引き抜くだけで、一対の本止め用腕はトリムの取付孔が有する拡径孔部を通って引き抜かれる。従って、これにより、トリムの固定状態を簡単に解除することが可能となる。
【００１３】
請求項２記載の発明にあっては、一対の仮止め用腕の両側縁に当接片を形成した関係で、合計４個の当接片で、頭部と共働してトリムを支持することが可能となるので、クリップ自体はトリム側に確実・安定した状態で仮止めされることとなる。
【００１４】
請求項３記載の発明にあっては、当接片のパネルの取付孔の孔縁に接する部分がテーパー形状となっている関係で、パネルの取付孔内で一対の仮止め用腕が回転し易くなると共に、トリムの固定状態にあっては、一対の仮止め用腕をパネルの取付孔が有する拡径孔部内に深く係入できるので、不用なガタツキや回転を効果的に防止できる。
【００１５】
請求項４記載の発明にあっては、仮止め用腕の頭部近傍の横断面が外方へ膨出する台形状を呈している関係で、該仮止め用腕がパネルの取付孔が有する拡径孔部に係入した時には、不用なガタツキや回転をより効果的に防止できると共に、拡径孔部内に容易に係入することが可能となる。
【発明を実施するための最良の形態】
【００１６】
本発明は、頭部と脚部とから成るクリップを合成樹脂で一体に成形して、脚部の一の対向する側面に一対の仮止め用腕を撓み可能に設け、同他の対向する側面に一対の本止め用腕を撓み可能に設けて、一対の仮止め用腕にトリムの取付孔の拡径孔部の周縁に当接する当接片を形成し、一対の本止め用腕にパネルの取付孔の孔縁に係合する係合爪を形成することにより、トリムをパネルに対して取り外し可能に固定せんとするものである。
【実施例】
【００１７】
以下、本発明を図示する好適な実施例に基づいて詳述すれば、該実施例に係るクリップは、自動車サンバイザーの軸部を保持するサンバイザーホルダーとして開発されたもので、合成樹脂で一体に成形されて、その具体的な構造は、図１に示す如く、頭部たるＣ字状の保持部１と角筒状の脚部２とから成る。
【００１８】
前者の保持部１は、そのＣ字状の内部にサンバイザーの軸部を弾性的に保持するもので、内面側にばね片３と突起４とを形成して、ばね片３でサンバイザーの軸部を突起４方向に押し付けることにより、Ｃ字状の内部に当該軸部を脱着可能に保持して、通常時は、不用意に抜け外れることを防止する構成となっている。
【００１９】
又、後者の脚部２は、図２・図３にも示す如く、その一の対向する側面に脚部２の先端から保持部１方向に向かって延びる一対の仮止め用腕５を撓み可能に設けると共に、同他の対向する側面に同じく脚部２の先端から保持部１方向に向かって延びる一対の本止め用腕６をスリット７を介して撓み可能に設けて、上記各仮止め用腕５の両側縁に対しては、後述するルーフトリム１１に穿設された取付孔１２の拡径孔部１２ａの周縁に当接する２個の当接片８を一体に形成し、各本止め用腕６の自由端縁に対しては、後述するルーフパネル１３に穿設された取付孔１４の孔縁に係合する係合爪９を一体に形成する構成となっている。
【００２０】
そして、仮止め用腕５と本止め用腕６の関係は、仮止め用腕５の当接片８の当接面は本止め用腕６の係合爪９の係合面よりも保持部１側に近くなるように設定し、仮止め用腕５の自由端面は当接片８の当接面よりも保持部１側に近くなるように設定する一方、当該各仮止め用腕５の保持部１近傍の横断面に対しては、外方へ膨出する台形形状を積極的に付与すると共に、当接片８のルーフパネル１３の取付孔１４の孔縁と接する外周部分にテーパー形状８ａを同じく積極的に付与する構成となしている。これに加えて、本止め用腕６の係合爪９と対向する脚部２の側面にループパネル１４との固定位置を規制するストッパー突起１０を形成する構成となしている。
【００２１】
尚、ルーフトリム１１に穿設される取付孔１２は、図４に示す如く、完全なる正円としては形成せずに略楕円状に形成して、その対向する長辺側に上記仮止め用腕５を差し込む一対の拡径孔部１２ａを形成し、ルーフパネル１３に穿設される取付孔１４は、同図に示す如く、完全なる正円として形成して、その対向する周縁側に同じく仮止め用腕５を差し込む一対の拡径孔部１４ａを形成するものとする。
【００２２】
依って、上記した構成のクリップを用いて、サンバイザーの軸部をその保持部１で保持する場合には、まず、ルーフトリム１１に当該クリップを仮止めすることとなるが、この時には、ルーフトリム１１の取付孔１２の各拡径孔部１２ａに一対の仮止め用腕５を臨ましめながら、取付孔１２内に脚部２を先端側から挿入すると、図５に示す如く、各仮止め用腕５と本止め用腕６が内側に撓みながら挿入されて、各仮止め用腕５の当接片８と本止め用腕６が取付孔１２を通過することとなる。
【００２３】
そして、斯かる状態にあっては、保持部１の面取り部１ａが施されている拡大周囲縁と４個の当接片８とで、ルーフトリム１１を内外側から支持することとなるので、クリップの確実且つ安定した仮止め状態が保障されることとなる。又、この状態の下では、仮止め用腕５の自由端側は、既述した如く、当接片８の当接面よりも保持部１側に近くなるように設定されているので、図示する如く、同自由端側は各拡径孔部１２ａ内に係入することとなるので、これにより、不用なガタツキや回転が阻止されて、この点からも、クリップの仮止め状態が一層確実且つ安定化することとなる。尚、この場合、当接片８の当接面が係合爪９の係合面より保持部１側に近くなるように設定されているので、本止め用腕６は、クリップ自体の仮止めには何ら作用していない。
【００２４】
そこで、今度は、ルーフトリム１１側に仮止めされているクリップをルーフパネル１３の取付孔１４内に挿入することとなるが、この時には、やはり、ルーフパネル１３の取付孔１４の各拡径孔部１４ａに一対の仮止め用腕５を臨ましめながら、当該取付孔１４内に脚部２の先端側から挿入すると、図６に示す如く、一対の本止め用腕６がルーフパネル１３の取付孔１４の孔縁で内側に撓みながら取付孔１４を通過して、通過後は、自身の自由端に形成された各係合爪９を取付孔１４の孔縁に自動的に係合するので、これにより、クリップ自体がルーフパネル１３に固定されると同時に、ルーフトリム１１がルーフパネル１３側に固定されることとなる。
【００２５】
尚、斯かる状態にあっては、仮止め用腕５の保持部１近傍の横断面が台形状となっているので、ルーフパネル１３の取付孔１４の各拡径孔部１４ａ内に容易に係入できることに加えて、各拡径孔部１４ａの内側に深く係入できるので、クリップ自体が不用意にガタツク心配もなくなる。
【００２６】
従って、後は、具体的には図示しないが、この固定されたクリップの保持部１にサンバイザーの軸部を弾性的に嵌合すれば、当該軸部が脱着可能に保持されることとなる。
【００２７】
又、逆に、このクリップをルーフパネル１３から取り外す場合には、クリップ自体をその保持部１などを把持して９０°回転させて、ルーフパネル１３の取付孔１４が有する拡径孔部１４ａ内に係入している一対の仮止め用腕５を取付孔１４の内側に撓ませながら入り込ませると、今度は、図７に示す如く、当該取付孔１４の拡径孔部１４ａ内に一対の本止め用腕６が係入するので、斯かる状態を得た後は、図８に示す如く、クリップを引き抜くだけで、一対の本止め用腕６はルーフトリム１１の取付孔１２が有する拡径孔部１２ａを通って引き抜かれる。従って、これにより、クリップをルーフパネル１３から簡単に取り外すことが可能となると同時に、ルーフトリム１１の固定状態をも即座に解除することが可能となる。
【００２８】
尚、クリップ自体を９０°回転させる時には、ルーフパネル１３の取付孔１４の各拡径孔部１４ａ内に係入する仮止め用腕５が台形状を呈しているばかりが、当接片８のルーフパネル１３の取付孔１４の孔縁に接する外周部分がテーパー形状８ａとなっているので、この両者の案内を得て、スムーズに回転させることが可能となるので、回転作業も比較的容易に行うことができる。又、保持部１の拡大周囲縁に面取り部１ａが施されているので、回転時に、ルーフトリム１１の表皮を巻き込むこともない。
【００２９】
上記した実施例においては、本発明に係るクリップをサンバイザーの軸部を保持するサンバイザーホルダーに応用したものであるが、本発明は、これに限定されるものではなく、保持部１を本来の頭部として利用することにより、単に、自動車のその他のトリムを車体パネルなどに固定するクリップとしても広く応用できるものである。
【産業上の利用可能性】
【００３０】
本発明に係るクリップは、自動車サンバイザーの軸部を保持するサンバイザーホルダーとして利用すれば、頗る好都合なものとなる。
【図面の簡単な説明】
【００３１】
【図１】本発明の実施例に係るクリップをサンバイザーホルダーとして応用した状態で示す斜視図である。
【図２】（Ａ）は同クリップの正面図、（Ｂ）は同クリップの側面図である。
【図３】（Ａ）は図２ＡのＡ−Ａ線断面図、（Ｂ）は図２ＢのＢ−Ｂ線断面図、（Ｃ）は図２ＢのＣ−Ｃ線断面図である。
【図４】ルーフトリムとルーフパネルの各取付孔の形状を示す要部説明図である。
【図５】（Ａ）は同クリップをルーフトリム側に仮止めした状態を示す要部断面図、（Ｂ）は同平面図である。
【図６】（Ａ）は同クリップをルーフパネル側に固定した状態を示す要部断面図、（Ｂ）は同平面図である。
【図７】（Ａ）は同クリップをルーフパネルの取付孔内で９０°回転した状態を示す要部断面図、（Ｂ）は同平面図である。
【図８】同クリップをルーフパネルから取り外した状態を示す要部断面図である。
【符号の説明】
【００３２】
１      保持部（頭部）
１ａ    面取り部
２      脚部
３      ばね片
４      突起
５      仮止め用腕
６      本止め用腕
７      スリット
８      当接片
８ａ    テーパー形状
９      係合爪
１０    ストッパー突起
１１    ルーフトリム（トリム）
１２    取付孔
１２ａ  拡径孔部
１３    ルーフパネル（パネル）
１４    取付孔
１４ａ  拡径孔部
【図１】
2006234138.tif 000003
【図２】
2006234138.tif 000004
【図３】
2006234138.tif 000005
【図４】
2006234138.tif 000006
【図５】
2006234138.tif 000007
【図６】
2006234138.tif 000008
【図７】
2006234138.tif 000009
【図８】
2006234138.tif 000010